(57)【特許請求の範囲】
【請求項１】
裏機構板の背面側に上部から下部に向けて、球タンクと、該球タンクの球を流下させる誘導樋と、該誘導樋に接続された上部払出樋と、該上部払出樋に接続されると共に賞球数に対応する賞球の払出しと貸球数に対応する貸球の払出しとをそれぞれ区分して行ない得る機能を有する球払出装置と、該球払出装置に接続された下部払出樋と、を備えた弾球遊技機において、
前記球払出装置は、
前記裏機構板の背面側に装着される本体ケースに、
前記上部払出樋側から供給される球を誘導する２列の球誘導路と、
その２列の球誘導路の下部両側に連設されて誘導された球を両側方の下部に開口した球取入部から通入し得る回転体収納室と、
この回転収納室の下部にあって前記球取入部から導入された球を載せる球載せ導入部と、
前記回転体収納室の下部出口側に前記球載せ導入部を挟んでその両側に２列縦列状態で連設されて区分排出される賞球と貸球を前記下部払出樋側に通出する賞球用払出通路と貸球用払出通路と、が形成されるとともに、
前記回転体収納室の外側に設置されて球払出し条件に応じて正逆回転切換え駆動制御される払出用モータと、
前記回転体収納室内に前記２列の球誘導路の並び方向と平行で且つ水平な軸により縦向き垂直状態で回転可能に支持されて前記払出用モータにより払出し回転作動される回転供給体と、
前記回転体収納室の外側に設置されて前記回転供給体の回転角度位置を検出する位置検出器と、
前記賞球用払出通路と貸球用払出通路との各球出口部に配置されて払出された賞球数と貸球数とを個々に検出し得る賞球用検出器及び貸球用検出器が夫々装備されており、
前記２列の球誘導路は、前記上部払出樋の球出口に連通される球導入口を有する縦向きの直線通路部と、この各直線通路部の下部球出口部から外側横向きに分岐形成されて前記回転体収納室の両側方の下部に開口された前記球取入部に連通される分岐通路部とが一連に連通されて、２列の球誘導路内に誘導される球が、各側の球取入部から前記回転体収納室内の前記球載せ導入部に導入されて前記回転供給体の下端部両側の球受け部に向けて供給されるように構成される一方、
前記回転供給体は、１枚の円盤部の両側に前記２列の球誘導路の分岐通路部から前記回転体収納室の両側に導入される球を受け入れる同一複数個の球受け部が共に同一角度間隔で形成されて互いには半ピッチ分の位相角度差をもって配置されるとともに、円盤部の外周に従動歯車が形成されて、この従動歯車と、前記払出用モータの出力軸に連結された駆動歯車とが噛合されており、
前記払出用モータの正転駆動に基づく前記回転供給体の一方向回転により、前記２列の球誘導路の分岐通路部から各側の球取入部を介して前記回転体収納室の両球載せ導入部に導入される球が、個々の球受け部に受入れられて賞球として前記賞球用払出通路側に払出される一方、
前記払出用モータの逆転駆動に基づく前記回転供給体の他方回転により、前記２列の球誘導路の分岐通路部から各側の球取入部を介して前記回転体収納室の両球載せ導入部に導入される球が、個々の球受け部に受入れられて貸球として前記貸球用払出通路側に払出されるように設定されたことを特徴とする弾球遊技機。
【発明の詳細な説明】
【０００１】
【発明の属する技術分野】
この発明は、賞球数に対応する賞球の払出しと、貸球数に対応する貸球の払出しとをそれぞれ行う球払出装置を備えた弾球遊技機に関する。
【０００２】
【従来の技術】
弾球遊技機、例えば、パチンコ機において、賞球数に対応する賞球としてのパチンコ球Ｂの払出しと、貸球数に対応する貸球としてのパチンコ球Ｂの払出しとをそれぞれ行う球払出装置を備えた構造のパチンコ機が知られている。このようなパチンコ機において、図１３に示すように、パチンコ機には、賞球数に対応する賞球としてのパチンコ球Ｂの払出しと、貸球数に対応する貸球としてのパチンコ球Ｂの払出しとが共通の球払出装置３０５によってそれぞれ払出し供給され、球払出装置３０５によって払い出された賞球数及び貸球数にそれぞれ対応する数のパチンコ球Ｂが共通の球払出通路４３５を通して払い出されるようになっている。
【０００３】
すなわち、球払出装置３０５を制御するための枠制御装置１２５には、メイン制御装置１１５からの賞球数に対応する払出信号と、球貸装置（例えば、パチンコ機に付設されたプリペードカード等による球貸装置）１３５からの貸球数に対応する払出信号とがそれぞれ送られる。すると、前記賞球数、貸球数に応じて枠制御装置１２５によって球払出装置３０５が作動され、賞球数又は貸球数に対応する数のパチンコ球Ｂが共通の球払出通路４３５を通して払い出されるようになっている。なお、前記球払出通路４３５にはパチンコ球Ｂに対する球検出器４４５が配設され、その球検出器４４５において検出された信号が枠制御装置１２５においてカウントされる構造のものがある。
【０００４】
【発明が解決しようとする課題】
ところで、前記従来のパチンコ機においては、前述したように、賞球数に対応する賞球としてのパチンコ球Ｂの払出しと、貸球数に対応する貸球としてのパチンコ球Ｂの払出しとが共通の球払出装置３０５によってそれぞれ払出し供給され、これら賞球数及び貸球数にそれぞれ対応する数のパチンコ球Ｂが共通の球払出通路４３５を通して払い出される。一方、パチンコ遊技の際、メイン制御装置１１５からの賞球数に対応する払出信号と、球貸装置１３５からの貸球数に対応する払出信号とが、球払出装置３０５に対し略同時に出力されることがある。このような場合には、一方の払出信号が優先されて球払出装置３０５に出力され、その払出信号に基づいて球払出装置３０５からパチンコ球が払い出される。引き続いて、他方の払出信号が球払出装置３０５に出力され、その払出信号に基づいて球払出装置３０５からパチンコ球が払い出される。このため、球払出通路４３５に払い出されたパチンコ球Ｂが賞球に対応するものか、あるいは、貸球に対応するものかを判断して管理することができないという問題点があった。例えば、メイン制御装置１１５からの賞球数に対応する信号、または、球貸装置１３５からの貸球数に対応する信号がノイズ等によって変化した場合、どちらの信号が変化したかを判断することができない。さらに、枠制御装置１２５に対し不正行為が行われたとしても、その不正行為を判断することも困難であった。
【０００５】
この発明の目的は、前記従来の問題点に鑑み、賞球数に対応する賞球の払出しと、貸球数に対応する貸球の払出しとを区別して払い出すことができ、賞球及び貸球の管理を的確に行うことができる弾球遊技機を提供することである。
【０００６】
【課題を解決するための手段】
前記目的を達成するために、請求項１の発明に係る弾球遊技機は、裏機構板の背面側に上部から下部に向けて、球タンクと、該球タンクの球を流下させる誘導樋と、該誘導樋に接続された上部払出樋と、該上部払出樋に接続されると共に賞球数に対応する賞球の払出しと貸球数に対応する貸球の払出しとをそれぞれ区分して行ない得る機能を有する球払出装置と、該球払出装置に接続された下部払出樋と、を備えたものにおいて、
前記球払出装置は、
前記裏機構板の背面側に装着される本体ケースに、
前記上部払出樋側から供給される球を誘導する２列の球誘導路と、
その２列の球誘導路の下部両側に連設されて誘導された球を両側方の下部に開口した球取入部から通入し得る回転体収納室と、
この回転収納室の下部にあって前記球取入部から導入された球を載せる球載せ導入部と、
前記回転体収納室の下部出口側に前記球載せ導入部を挟んでその両側に２列縦列状態で連設されて区分排出される賞球と貸球を前記下部払出樋側に通出する賞球用払出通路と貸球用払出通路と、が形成されるとともに、
前記回転体収納室の外側に設置されて球払出し条件に応じて正逆回転切換え駆動制御される払出用モータと、
前記回転体収納室内に前記２列の球誘導路の並び方向と平行で且つ水平な軸により縦向き垂直状態で回転可能に支持されて前記払出用モータにより払出し回転作動される回転供給体と、
前記回転体収納室の外側に設置されて前記回転供給体の回転角度位置を検出する位置検出器と、
前記賞球用払出通路と貸球用払出通路との各球出口部に配置されて払出された賞球数と貸球数とを個々に検出し得る賞球用検出器及び貸球用検出器が夫々装備されており、
前記２列の球誘導路は、前記上部払出樋の球出口に連通される球導入口を有する縦向きの直線通路部と、この各直線通路部の下部球出口部から外側横向きに分岐形成されて前記回転体収納室の両側方の下部に開口された前記球取入部に連通される分岐通路部とが一連に連通されて、２列の球誘導路内に誘導される球が、各側の球取入部から前記回転体収納室内の前記球載せ導入部に導入されて前記回転供給体の下端部両側の球受け部に向けて供給されるように構成される一方、
前記回転供給体は、１枚の円盤部の両側に前記２列の球誘導路の分岐通路部から前記回転体収納室の両側に導入される球を受け入れる同一複数個の球受け部が共に同一角度間隔で形成されて互いには半ピッチ分の位相角度差をもって配置されるとともに、円盤部の外周に従動歯車が形成されて、この従動歯車と、前記払出用モータの出力軸に連結された駆動歯車とが噛合されており、
前記払出用モータの正転駆動に基づく前記回転供給体の一方向回転により、前記２列の球誘導路の分岐通路部から各側の球取入部を介して前記回転体収納室の両球載せ導入部に導入される球が、個々の球受け部に受入れられて賞球として前記賞球用払出通路側に払出される一方、
前記払出用モータの逆転駆動に基づく前記回転供給体の他方回転により、前記２列の球誘導路の分岐通路部から各側の球取入部を介して前記回転体収納室の両球載せ導入部に導入される球が、個々の球受け部に受入れられて貸球として前記貸球用払出通路側に払出されるように設定されている。
【０００７】
したがって、払出供給される賞球数及び貸球数に対応する数の賞球及び貸球が回転供給体の回転方向によって賞球用払出通路と貸球用払出通路とにそれぞれ仕分けされて払い出される。このため、賞球用払出通路に払い出された賞球数に対応するパチンコ球の数と、貸球用払出通路に払い出される貸球数に対応するパチンコ球の数とをそれぞれ正確に認識することができる。
【０００８】
また、本発明に係る弾球遊技機の球払出装置は、賞球用払出通路と貸球用払出通路が、回転体収納室下部の球取入部に連通する球載せ導入部を挟んでその両側に２列縦列状態で連設されている。したがって、複数の球受け部に対しパチンコ球がそれぞれ導入された状態で正逆回転される回転供給体と比べて、回転供給体は、小さいトルクで軽快に正逆回転される。この結果、出力や消費電力の小さい電動アクチュエータを使用することが可能となる。
【０００９】
【発明の実施の形態】
（実施の形態１）
この発明の実施の形態１を図１〜図６にしたがって説明する。パチンコ機を背面から表した図５と図６において、弾球遊技機としてのパチンコ機１は、その木枠２の前側に前枠３が開閉可能に装着されている。前枠３の裏面には、その開口部の周縁部においてベース枠４が組み付けられている。ベース枠４の枠内には、図示しない遊技盤が着脱可能装着され、遊技盤には、一般入賞口、特定入賞口、ゲート口等を有する役物装置や表示装置等が配設されている。さらに、遊技盤の裏面側には、収納ボックス１１１に収納された状態でメイン制御装置（制御基板とも呼ばれている）１１０が配設されている。
【００１０】
遊技盤の裏面側には、前記メイン制御装置１１０を取り囲むようにして裏機構板１０が装着されている。前記裏機構板１０の前面側には、一般入賞口及び特定入賞口に入った遊技球を遊技盤の裏面の下部に沿って排出案内するための集合樋２０が傾斜状に形成されている。また、集合樋２０の下傾端には球排出路２１が形成されている。球排出路２１の途中には、その球排出路２１に流入したパチンコ球を検出しながら排出するための球排出スイッチ２３を有する球排出装置２２が配設されている。前記裏機構板１０の背面側には、その上部から下部に向けて球タンク１３、誘導樋（タンクレールとも呼ばれている）１４、上部払出樋１５、球払出装置３０及び下部払出樋９０が順次に連通して配設されている。この実施の形態１において、球タンク１３に溜められたパチンコ球Ｂは、誘導樋１４に形成された前後２列の球通路に案内された後、上部払出樋１５の前後２列の球通路にそれぞれ流入して球払出装置３０に供給される。そして、球払出装置３０において払い出された賞球数に対応する数のパチンコ球Ｂ及び貸球数に対応する数のパチンコ球Ｂは下部払出樋９０に払い出されて合流する。
【００１１】
前記下部払出樋９０は、上部の合流路９１と、その合流路９１の下方に連通する絞り路９２と、その絞り路９２に対し通路切換部材９４によって択一的に連通される払出路９５と球抜路９７とをそれぞれ備えている。そして、払出路９５は、パチンコ機１の前側の上皿に通じる上皿連通口９６に連通されている。なお、上皿連通口９６に払い出されたパチンコ球Ｂが満杯となった時にはそのパチンコ球Ｂは下皿誘導路９８及び下皿連通口９９を介してパチンコ機１の前側の下皿に流れるようになっている。
【００１２】
さて、前記球払出装置３０は、所定の賞球数に対応する数のパチンコ球Ｂを払い出す機能と、貸球数に対応する数のパチンコ球Ｂを払い出す機能とを兼ね備えている。図２〜図４に示すように、前記球払出装置３０は、その本体ケース３１に対し、球払出供給手段並びに球仕分手段の主要部をなす回転供給体６１と、賞球用払出通路４３と、貸球用払出通路４６と、がそれぞれ配設されて１つのユニットをなしている。そして、球払出装置３０は、裏機構板１０の所定位置にビス等によって組み付けられるようになっている。
【００１３】
この実施の形態１において、図３と図４に示すように、本体ケース３１は、前ケース体３２と中央仕切板３３と後ケース体３４との３つの部品によって分割構成されている。本体ケース３１の上部には、前記上部払出樋１５の前後２列の球通路にそれぞれ連通する球導入口４０が中央仕切板３３によって前後に区画されて形成されている。また、本体ケース３１の中央部には、回転体収納室４１が前記球導入口４０の下部に連通して形成されている。さらに、本体ケース３１には、その回転体収納室４１の下部の左右部においてそれぞれ個別に連通する賞球用払出通路４３と、貸球用払出通路４６とがそれぞれ左右に隣接して形成されている。これら賞球用払出通路４３及び貸球用払出通路４６は、中央仕切板３３によってそれぞれ前後に区画形成されている。
【００１４】
前後の賞球用払出通路４３には賞球用検出器４４が組み付けられ、前後の貸球用払出通路４６には貸球用検出器４７が組み付けられている。これら賞球用検出器４４及び貸球用検出器４７はそれぞれ近接スイッチ等よりなる。そして、賞球用検出器４４によってパチンコ球Ｂが検出される度毎にその信号は枠制御装置１２０とメイン制御装置１１０とにそれぞれ送られてカウントされる。また、貸球用検出器４７によってパチンコ球Ｂが検出される度毎にその信号は枠制御装置１２０と球貸装置１３０とにそれぞれ送られてカウントされるようになっている（図１参照）。
【００１５】
前記本体ケース３１の回転体収納室４１には、電動アクチュエータによって正逆回転されることで、球払出供給手段と球仕分手段との両手段の主要部を構成するための回転供給体６１が配設されている。図２〜図４に示すように、前記回転供給体６１の前半部外周には、複数（例えば６個）の球受け部６２が所定の間隔（例えば、６個の場合６０度間隔）を保って凹設されている。さらに、回転供給体６１の後半部外周には、前側の球受け部６２に対し半ピッチ分（例えば、６個の場合３０度）だけそれぞれ位相して複数（例えば６個）の球受け部６２が所定の間隔を保って凹設されている。
【００１６】
そして、前後の球導入口４０のうち、前側の球導入口４０に導かれたパチンコ球Ｂは、回転供給体６１の前側の球受け部６２に導入され、後側の球導入口４０に導かれたパチンコ球Ｂは、回転供給体６１の後側の球受け部６２に導入されるようになっている。さらに、回転供給体６１が、図２に向かって時計方向に回転されることで、賞球としてのパチンコ球Ｂａが賞球用払出通路４３に仕分けされて払い出される。これとは逆に回転供給体６１が図２に向かって反時計方向に回転されることで、貸球としてのパチンコ球Ｂｂが貸球用払出通路４６に仕分けされて払い出されるようになっている。
【００１７】
前記回転供給体６１を正逆方向に回転するための電動アクチュエータとして、払出用モータ（例えば、正逆回転可能なステッピングモータ等）７１が用いられている。図３に示すように、前記払出用モータ７１は本体ケース３１の後ケース体３４に組み付けられている。この払出用モータ７１の出力軸７２は後ケース体３４を貫通して回転供給体６１の中心ボス部にトルク伝達可能に嵌挿されている。
【００１８】
また、下部払出樋９０の裏側には枠制御装置１２０が配設されている。この枠制御装置１２０は、メイン制御装置１１０から出力される賞球数に応じた数の信号を受けて、前記払出用モータ７１を正方向に回転制御する。さらに、枠制御装置１２０は、パチンコ機１の前側の所定位置に配設された球貸しスイッチに基づいて球貸装置１３０から発せられる貸球数に対応する数の信号を受けて、球払出装置３０の払出用モータ７１を逆方向に制御する。
【００１９】
また、この実施の形態１において、図１に示すように、パチンコ機の遊技の際、遊技盤の特定入賞口に入ったパチンコ球（遊技球）は、特定入賞口スイッチによって検出され、その検出信号はメイン制御装置１１０に出力される。この検出信号を受けたメイン制御装置１１０は、前記特定入賞口に入ったパチンコ球の個数（第１検出個数）をカウントする。さらに、前記特定入賞口に入ったパチンコ球と、一般入賞口に入ったパチンコ球は集合樋２０において合流して球排出路２１に流れる。そして、球排出路２１の球排出装置２２において、球排出スイッチ２３によって１つずつ検出されて排出される。球排出スイッチ２３の検出信号は枠制御装置１２０に出力され、前記球排出路２１に流れたパチンコ球の個数をカウントする。このカウントによる第２検出個数はメイン制御装置１１０に出力される。また、メイン制御装置１１０の内部では、前記第１検出個数と、第２検出個数とによって、払い出すべき賞球数を求めて、枠制御装置１２０に出力するようになっている。なお、球排出スイッチ２３の検出信号を枠制御装置１２０を通すことなくメイン制御装置１１０に直接出力するように構成することもできる。また、球排出スイッチ２３には、マイクロスイッチ、近接スイッチ等が使用される。球排出スイッチ２３が近接スイッチである場合、球排出路の所定位置に球排出装置を設けることなく近接スイッチよりなる球排出スイッチ２３を直接組み付けることが可能となる。
【００２０】
この実施の形態１のパチンコ機１は上述したように構成される。したがって、パチンコ遊技に先だって、あるいは、遊技の際において、パチンコ機１の前側の所定位置に配設された球貸しスイッチが作動されると、その信号が球貸装置１３０に送られる。すると、球貸装置１３０から発せられる貸球数に対応する数の信号が枠制御装置１２０に送られ、これに基づいて枠制御装置１２０から発せられる払出信号によって払出用モータ７１が回転制御される。
【００２１】
これによって、回転供給体６１は、図２に向かって反時計方向にかつ貸球数に対応する回転角度だけ回転される。例えば、貸球数が２５個の場合、回転供給体６１は、図２に向かって反時計方向に７５０度（２回転と３０度）回転される。すると、回転供給体６１の各球受け部６２のパチンコ球Ｂは、貸球用払出通路４６に２５個だけ正確に払い出される。そして、貸球用払出通路４６に払い出された貸球としてのパチンコ球Ｂｂは下部払出樋９０の合流路９１、絞り路９２、払出路９５及び上皿連通口９６を順に経て上皿に払い出される。前記貸球用払出通路４６に払い出された貸球としてのパチンコ球Ｂｂは、貸球用検出器４７によって検出され、その信号が枠制御装置１２０と球貸装置１３０とにそれぞれ送られ、これら各装置においてそれぞれカウントされる。これによって、貸球用払出通路４６に払い出された貸球としてのパチンコ球Ｂｂの数が枠制御装置１２０と球貸装置１３０においてそれぞれ確認される。
【００２２】
ところで、球タンク１３、誘導樋１４、上部払出樋１５などにおいてパチンコ球Ｂの供給不良が生じたり、払出用モータ７１の作動不良等によって、貸球用払出通路４６に２５個のパチンコ球Ｂｂが正確に払い出されることなく不足する場合がある。例えば、貸球用検出器４７からの信号のカウントによって貸球の数が２０個と不足している場合には、枠制御装置１２０から前記不足の５個分に相当する信号が払出用モータ７１に送られ、再び、前記回転供給体６１が反時計方向に１５０度回動され、貸球用払出通路４６に５個のパチンコ球Ｂｂが払い出される。
【００２３】
また、球貸装置１３０から発せられる貸球数に対応する数の信号がノイズ等によって不測に変化して枠制御装置１２０に送られる場合がある。例えば、球貸装置１３０から発せられる貸球数が２５個あり、その数が２０個に変化して枠制御装置１２０に送られた場合、払出用モータ７１によって回転供給体６１は、反時計方向に２０個分に相当する分だけ回転される。そして、貸球用払出通路４６には貸球としてのパチンコ球Ｂｂが２０個だけ払い出され、貸球用検出器４７において検出される。この場合には、球貸装置１３０において、貸球の払出数が２０個と不足していることが確認され、球貸装置１３０から前記不足の５個分に相当する信号が枠制御装置１２０に送られる。そして、枠制御装置１２０から前記不足の５個分に相当する信号が払出用モータ７１に送られ、再び、前記回転供給体６１が反時計方向に所定角度だけ回動され、貸球用払出通路４６に５個のパチンコ球Ｂが払い出される。
【００２４】
また、パチンコ遊技の際において、メイン制御装置１１０から発せられる賞球数に対応する数の信号が枠制御装置１２０に送られると、これに基づいて枠制御装置１２０から発せられる払出信号によって払出用モータ７１が回転制御される。これによって、回転供給体６１は、図２に向かって時計方向にかつ賞球数に対応する回転角度だけ回転される。例えば、賞球数が１０個の場合、回転供給体６１は、図２に向かって時計方向に３００度だけ回転される。これによって、パチンコ球Ｂは賞球用払出通路４３に１０個だけ正確に払い出される。前記賞球としてのパチンコ球Ｂａは、賞球用検出器４４によって検出され、その信号が枠制御装置１２０とメイン制御装置１１０とにそれぞれ送られカウントされる。これによって、賞球用払出通路４３に払い出された賞球としてのパチンコ球Ｂａの数が枠制御装置１２０とメイン制御装置１１０においてそれぞれ確認される。
【００２５】
また、球タンク１３、誘導樋１４、上部払出樋１５などにおいてパチンコ球Ｂの供給不良が生じたり、払出用モータ７１の作動不良等によって、賞球用払出通路４３に対し、賞球としての１０個のパチンコ球Ｂａが正確に払い出されることなく不足する場合や、メイン制御装置１１０から発せられる賞球数に対応する数の信号がノイズ等によって変化して枠制御装置１２０に送られる場合がある。この場合には、賞球としてのパチンコ球Ｂａの数が枠制御装置１２０とメイン制御装置１１０においてそれぞれ確認されることで、賞球数の不足に相当分だけ、回転供給体６１が回転され、賞球用払出通路４３に対し不足した分の賞球としてのパチンコ球Ｂａが払い出される。
【００２６】
パチンコ遊技の際、メイン制御装置１１０からの賞球数に対応する信号と、球貸装置１３０からの貸球数に対応する信号とが枠制御装置１２０に対し略同時に出力されることがある。このような場合には、賞球数に対応する払出信号と貸球数に対応する払出信号とのうち、一方の払出信号が優先されて払出用モータ７１に送られ、引き続いて他方の払出信号が払出用モータ７１に送られる。例えば、賞球数に対応する払出信号が優先されて払出用モータ７１に送られた場合、回転供給体６１は、図２に向かって時計方向にかつ賞球数に対応する回転角度だけ回転される。これによって、賞球数に対応する数のパチンコ球Ｂａが賞球用払出通路４３に正確に払い出される。
【００２７】
引き続いて、貸球数に対応する払出信号が払出用モータ７１に送られ、回転供給体６１は、図２に向かって反時計方向にかつ貸球数に対応する回転角度だけ回転される。これによって、貸球数に対応する数のパチンコ球Ｂｂが貸球用払出通路４６に正確に払い出される。したがって、賞球数に対応する信号と、貸球数に対応する信号とが枠制御装置１２０に対し略同時に出力された場合においても、賞球用払出通路４３に払い出される賞球としてのパチンコ球Ｂａの数と、貸球用払出通路４６に払い出される貸球としてのパチンコ球Ｂｂの数とをそれぞれ正確に認識することができ、その管理が容易となる。
【００２８】
また、上述したように、貸球用払出通路４６の貸球用検出器４７において貸球としてのパチンコ球Ｂｂが検出され、その検出信号が枠制御装置１２０と球貸装置１３０とにそれぞれ送られて確認されると共に、賞球用払出通路４３の賞球用検出器４４において賞球としてのパチンコ球Ｂａが検出され、その検出信号が枠制御装置１２０とメイン制御装置１１０とにそれぞれ送られて確認される。このため、枠制御装置１２０に対し不正基板が接続されて回転供給体６１が不正に作動され、賞球または貸球に対応するパチンコ球Ｂａ、Ｂｂが過大に払い出された場合には、パチンコ球Ｂａ、Ｂｂの過大な払出がメイン制御装置１１０や球貸装置１３０において認識される。
【００２９】
前記メイン制御装置１１０や球貸装置１３０から前記過大な払出に基づく信号が、パチンコホールの管理室等に設置されたホールコンピュータに送られ、そのホールコンピュータのディスプレイに過大な払出の表示がなされることで、過大な払出事故を防止することが可能となる。また、前記過大な払出信号に基づいてランプ、ブザー等（これらランプ、ブザー等はパチンコ機や管理室等に容易に設置可能である。）が作動されるように構成することによっても過大な払出事故を防止することが可能となる。
【００３０】
また、この実施の形態１において、球払出装置３０は、その本体ケース３１に対し、球払出供給手段並びに球仕分手段の主要部をなす回転供給体６１と、賞球用払出通路４３と、貸球用払出通路４６とがそれぞれ配設されて１つのユニットをなしている。このため、パチンコ機１の裏機構板１０に対する球払出装置３０の組み付けや、保守、点検作業が容易となる。また、前記回転供給体６１は、電動アクチュエータとしての払出用モータ７１によって正逆回転されると共に、回転供給体６１の図２に向かって時計方向の回転に基づいて賞球としてのパチンコ球Ｂａを賞球用払出通路４３に対し払い出し、回転供給体６１の図２に向かって反時計方向の回転に基づいて貸球としてのパチンコ球Ｂｂを貸球用払出通路４６に払い出す構成にしてある。このため、球払出供給手段としての専用の部材や球仕分手段としての専用の部材をそれぞれ製作して組み付ける手間を省くことができ、部品点数や組付工数を軽減してコスト低減を図ることが可能となる。
【００３１】
なお、前記実施の形態１において、球払出装置３０の回転供給体６１の回転動作に基づく賞球としてのパチンコ球（又は貸球としてのパチンコ球Ｂｂ）Ｂａの払出しの際、賞球用検出器４４（又は貸球用検出器４７）によって賞球としてのパチンコ球（又は貸球としてのパチンコ球Ｂｂ）Ｂａを１個ずつ検出したことを確認する度毎に、回転供給体６１が１個分に相当する角度（例えば、３０度）だけ回転するように払出用モータ７１を駆動制御してもよい。そして、賞球用検出器４４（又は貸球用検出器４７）によって賞球としてのパチンコ球（又は貸球としてのパチンコ球Ｂｂ）Ｂａを検出しない場合には払出用モータ７１を停止させるように構成することも可能である。賞球としてのパチンコ球（又は貸球としてのパチンコ球Ｂｂ）Ｂａを検出しない場合に払出用モータ７１を停止させることで、球払出装置３０の上流側において球詰まりが発生した場合等において、回転供給体６１の空回転が防止される。
【００３２】
（実施の形態２）
次に、この発明の実施の形態２を図７〜図１１にしたがって説明する。この実施の形態２の球払出装置３０１を斜視図で表した図７において、球払出装置３０１の本体ケース３１１には、球誘導路３５１、回転体収納室４１１、賞球用払出通路４３１及び貸球用払出通路４６１がそれぞれ形成されている。図７と図１１に示すように、球誘導路３５１は、上部払出樋１５の前後２列の球通路にそれぞれ連通する球導入口３６１を上端部に有しかつ回転体収納室４１１の外側部の略中央部まで延びる前後の直線通路部たる直線部３７１と、その直線部３７１の下端部から前後に分かれて回転体収納室４１１の下部中央部の前後部までパチンコ球Ｂをそれぞれ誘導案内する分岐通路部たる分岐部３８１とを連続して備えている。そして、図７と図１０に示すように、前後の各分岐部３８１の球導出口は回転体収納室４１１の下部中央部の前後部にそれぞれ開口し、その開口部を回転供給体６１１に対する球取入部４０１としている。
【００３３】
図８と図９に示すように、前記回転体収納室４１１の下部には、前記前後の球取入部４０１の左右両側部にそれぞれ接近する位置において、回転体収納室４１１の下方には、前後の賞球用払出通路４３１と、前後の貸球用払出通路４６１とが前記球取入部４０１に連通する球載せ導入部を挟んで左右に隣接してそれぞれ個別に形成されている。これら前後の賞球用払出通路４３１には賞球用検出器４４１が、前後の貸球用払出通路４６１には貸球用検出器４７１がそれぞれ組み付けられている。
【００３４】
前記回転体収納室４１１には、電動アクチュエータとしての払出用モータ７１１（ステッピングモータ）によって正逆回転されることで、球払出供給手段と球仕分手段との両手段の主要部を構成する回転供給体６１１が、その中心部の軸６４１を中心として正逆回転可能に支持されている。この回転供給体６１１の前半部と後半部には、実施の形態１と略同様にして、前後各複数の球受け部６２１が半ピッチ分だけ位相してそれぞれ形成されている。また、回転供給体６１１の外周には、前後の球受け部６２１の中間部に位置して従動歯車６３１が形成されている。
【００３５】
一方、図９と図１０に示すように、本体ケース３１１には、その回転体収納室４１１の斜め上方に歯車室５０１が形成されると共に、その歯車室５０１の外側には払出用モータ７１１が組み付けられている。この払出用モータ７１１の出力軸７２１は歯車室５０１内に突入され、その出力軸７２１の外周には回転供給体６１１の従動歯車６３１に噛み合う駆動歯車７３１が出力軸７２１一体回転可能に組み付けられている。また、本体ケース３１１には、回転供給体６１１の回転位置を検出する位置検出器（例えば、発光器と受光器を備えたフォトセンサー）８０１が配設されている。この位置検出器８０１の検出信号に基づいて払出用モータ７１１が回転制御されることで、回転供給体６１１が所定位置に正確に停止される。これによって、回転供給体６１１の不測の停止が原因となるパチンコ球の払出不良が防止されるようになっている。その他の構成は実施の形態１と同様にして構成されるため、その説明は省略する。
【００３６】
したがって、この実施の形態２においては、上部払出樋１５の前後２列の球通路を流れるパチンコ球Ｂは、前後の球誘導路３５１内にそれぞれ導かれる。そして、前記パチンコ球Ｂは、前後の球誘導路３５１の出口である前後の球取入部４０１までそれぞれ誘導される。さらに、前後の球取入部４０１のうち、一方、例えば、後側（図１０において左側）の球取入部４０１に導かれたパチンコ球Ｂは前記球載せ導入部に載って回転供給体６１１の後側の複数の球受け部６２１のうち、最下部に位置する球受け部６２１に流入する。また、前側（図１０において右側）の球取入部４０１に導かれたパチンコ球Ｂは前記球載せ導入部に載って回転供給体６１１の前側の複数の球受け部６２１のうち、下部において左右の隣接する球受け部６２１の中間において、その回転供給体６１１の前面に当接して待機する。
【００３７】
すなわち、この実施の形態２においては、回転供給体６１１の前後各複数の球受け部６２１のうち、最下部に位置する１つの球受け部６２１に対してのみパチンコ球Ｂが導入され、他の球受け部６２１に対してはパチンコ球Ｂが導入されない状態で正逆方向に回転される。このため、この実施の形態２の回転供給体６１１は、複数の球受け部６２１に対しパチンコ球Ｂがそれぞれ導入された状態で正逆回転される実施の形態１の回転供給体と比べて、小さいトルクで軽快に正逆回転される。この結果、払出用モータ７１２として、出力や消費電力の小さいモータを使用することが可能となる。
【００３８】
その他においては、実施の形態１と略同様の作用効果を奏する。すなわち、枠制御装置１２０から賞球数に対応する払出信号が払出用モータ７１１に送られて回転供給体６１１が、図９に向かって反時計方向にかつ賞球数に対応する回転角度だけ回転されることによって、賞球数に対応する数の賞球としてのパチンコ球Ｂａが賞球用払出通路４３１に正確に払い出される。また、枠制御装置１２０から貸球数に対応する払出信号が払出用モータ７１１に送られて回転供給体６１１が、図９に向かって時計方向にかつ貸球数に対応する回転角度だけ回転されることによって、貸球数に対応する数の貸球としてのパチンコ球Ｂｂが貸球用払出通路４６１に正確に払い出される。さらに、メイン制御装置１１０からの賞球数に対応する信号と、球貸装置１３０からの貸球数に対応する信号とが枠制御装置１２０に対し略同時に出力された場合においても、賞球用払出通路４３１に払い出される賞球としてのパチンコ球Ｂａの数と、貸球用払出通路４６１に払い出される貸球としてのパチンコ球Ｂｂの数とをそれぞれ正確に認識することができ、その管理が容易となる。
【００３９】
（実施の形態３）
次に、この発明の実施の形態３を図１２にしたがって説明する。この実施の形態３においては、図１２に示すように、球払出装置３０２に対し、球払出供給手段としての専用の回転供給体６１２と、球仕分手段としての専用の球仕分部材８１２とがそれぞれ個別に配設されて構成されている。すなわち、球払出装置３０２の本体ケース３１２には、その上部から下部に向かって、上部払出樋１５の前後２列の球通路にそれぞれ連通する球導入口３４２と、その球導入口３４２の下部に連通する回転体収納室４１２と、その回転体収納室４１２の下部に連通する前後の払出口８２２が形成されている。さらに、払出口８２２の下方には分岐路４２３によって左右に分岐された賞球用払出通路４３２と貸球用払出通路４６２とが隣接状に形成されている。賞球用払出通路４３２には賞球用検出器４４２が、貸球用払出通路４６２には貸球用検出器４７２がそれぞれ組み付けられている。
【００４０】
前記回転体収納室４１２には、球払出供給手段としての専用の回転供給体６１２が回転可能に組み付けられている。この回転供給体６１２には、前半部外周と、後半部外周には、実施の形態１と略同様にして各複数の球受け部６２２が半ピッチ分だけそれぞれ位相して形成されている。さらに、回転供給体６１２は、電動アクチュエータとしての払出用モータ（図示しない）によって一方向に回転されることでパチンコ球Ｂを払出口４２２に払出供給するようになっている。
【００４１】
本体ケース３１２の分岐路４２３には、球仕分手段としての専用の球仕分部材８１２が配設されている。この球仕分部材８１２は、図１２において実線に示す第１位置と、図１２において２点鎖線に示す第２位置とに配置切換可能に、例えば、ソレノイド等の電動アクチュエータを駆動源としかつ軸８２３を中心として回動可能に組み付けられている。そして、球仕分部材８１２が図１２において実線に示す第１位置に配置されたときには、払出口４２２が分岐路４２３を介して貸球用払出通路４６２に連通される。さらに、球仕分部材８１２が図１２において２点鎖線に示す第２位置に配置されたときには、払出口４２２が分岐路４２３を介して賞球用払出通路４３２に連通されるようになっている。その他の構成は実施の形態１と同様にして構成されるため、その説明は省略する。
【００４２】
すなわち、この実施の形態３においては、枠制御装置１２０からの賞球数に対応する払出信号及び貸球数に対応する払出信号のいずれにおいても、その数に対応して払出用モータ７１２が一方向に回転され、パチンコ球Ｂが払出口４２２に払い出される。一方、貸球数に対応する払出信号に基づいて、球仕分手段の電動アクチュエータによって、球仕分部材８１２が図１２において実線に示す第１位置に配置される。さらに、賞球数に対応する信号に基づいて、球仕分手段の電動アクチュエータによって、球仕分部材８１２が図１２において２点鎖線に示す第２位置に配置切換される。
【００４３】
このため、賞球数に対応する信号が球払出供給手段と球仕分手段との各電動アクチュエータにそれぞれ略同時送られることで、賞球数に対応する数の賞球としてのパチンコ球Ｂａが賞球用払出通路４３２に正確に払い出される。さらに、貸球数に対応する払出信号が球払出供給手段と球仕分手段との各電動アクチュエータにそれぞれ略同時送られることで、貸球数に対応する数の貸球としてのパチンコ球Ｂｂが貸球用払出通路４６２に正確に払い出される。さらに、メイン制御装置１１０からの賞球数に対応する信号と、球貸装置１３０からの貸球数に対応する信号とが枠制御装置１２０に対し略同時に出力された場合においても、賞球用払出通路４３２に払い出される賞球としてのパチンコ球Ｂａの数と、貸球用払出通路４６２に払い出される貸球としてのパチンコ球Ｂｂの数とをそれぞれ正確に認識することができ、その管理が容易となる。
【００４４】
なお、前記実施の形態１〜３においては、貸球用払出通路４６（４６１、４６２）の貸球用検出器４７（４７１、４７２）における貸球としてのパチンコ球Ｂｂの検出信号が枠制御装置１２０と球貸装置１３０とにそれぞれ送られて確認されると共に、賞球用払出通路４３（４３１、４３２）の賞球用検出器４４（４４１、４４２）における賞球としてのパチンコ球Ｂａの検出信号が枠制御装置１２０とメイン制御装置１１０とにそれぞれ送られて確認されるように構成したがこれに限定するものではない。例えば、賞球用検出器４４（４４１、４４２）の賞球としてのパチンコ球Ｂａの検出信号を枠制御装置１２０には出力せず、メイン制御装置１１０に対してのみ出力してカウントするようにしてもよい。また、実施の形態２においては、貸球用検出器４７１は必ずしも設ける必要はない。貸球の際は位置検出器８０１による信号を球貸装置１３０あるいは枠制御装置１２０に出力してカウントすればよい。また、前記実施の形態１〜３においては、賞球としてのパチンコ球（又は貸球としてのパチンコ球Ｂｂ）Ｂａの払出数が不足した場合、その払出数の不足に相当分だけ、回転供給体６１を回転して不足した分のパチンコ球を払い出すように構成したが、これに限定するものではない。例えば、賞球としてのパチンコ球（又は貸球としてのパチンコ球Ｂｂ）Ｂａの払出数が不足した場合、その不足をランプ、ブザー等によって報知したり、あるいは、球発射用の電動アクチュエータ等の停止によって遊技を中断させるように構成することも可能である。
【００４５】
【発明の効果】
以上述べたように、この発明の弾球遊技機の球払出装置は、回転供給体の前後各複数の球受け部のうち、下部に位置する１つの球受け部に対してのみパチンコ球が導入され、他の球受け部に対してはパチンコ球が導入されない状態で正逆方向に回転される。このため回転供給体は、複数の球受け部に対しパチンコ球がそれぞれ導入された状態で正逆回転される回転供給体と比べて、小さいトルクで軽快に正逆回転され、その結果、払出用モータとして、出力や消費電力の小さいモータを使用することが可能となる。
【図面の簡単な説明】
【図１】この発明の実施の形態１のパチンコ機に係る賞球及び貸球の払出制御を示すブロック図である。
【図２】同じく球払出装置を一部破断して示す背面図である。
【図３】同じく図２のＩＩＩ−ＩＩＩ線に基づく側断面図である。
【図４】同じく図２のＩＶ−ＩＶ線に基づく平断面図である。
【図５】同じくパチンコ機の全体を示す背面図である。
【図６】同じく枠制御装置の配設位置を示すパチンコ機の部分的な背面図である。
【図７】この発明の実施の形態２のパチンコ機に係る球払出装置を示す斜視図である。
【図８】同じく球払出装置を示す背面図である。
【図９】同じく球払出装置を一部破断して示す背面図である。
【図１０】同じく図８のＸ−Ｘ線に基づく側断面図である。
【図１１】同じく図８のＸＩ−ＸＩ線に基づく側断面図である。
【図１２】この発明の実施の形態３のパチンコ機に係る球払出装置を示す説明図である。
【図１３】従来のパチンコ機に係る賞球及び貸球の払出制御を示すブロック図である。
【符号の説明】
１ パチンコ機（弾球遊技機）
１０ 裏機構板
１３ 球タンク
１４ 誘導樋
１５ 上部払出樋
９０ 下部払出樋
３０１ 球払出装置
３１１ 本体ケース
３５１ 球誘導路
３６１ 球導入口
３７１ 直線通路部
３８１ 分岐通路部
４０１ 球取入部
４１１ 回転体収納室
４３１ 賞球用払出通路
４４１ 賞球用検出器
４６１ 貸球用払出通路
４７１ 貸球用検出器
６１１ 回転供給体
６３１ 従動歯車
６４１ 軸
７１１ 払出用モータ
７３１ 駆動歯車
８０１ 位置検出器
【図１】
0004346046.tif 000002
【図２】
0004346046.tif 000003
【図３】
0004346046.tif 000004
【図４】
0004346046.tif 000005
【図５】
0004346046.tif 000006
【図６】
0004346046.tif 000007
【図７】
0004346046.tif 000008
【図８】
0004346046.tif 000009
【図９】
0004346046.tif 000010
【図１０】
0004346046.tif 000011
【図１１】
0004346046.tif 000012
【図１２】
0004346046.tif 000013
【図１３】
0004346046.tif 000014